(57)【特許請求の範囲】
【請求項１】
第一端子が設けられた第一コネクタハウジングと、前記第一コネクタハウジングに設けられたロック突起部とロックするロックアーム部および該ロックアーム部を前記第一コネクタハウジングとの嵌合方向前方側に設けた嵌合方向前方側保護壁を含めた壁によって保護するロック保護壁部を有し、かつ、前記第一端子に接続される第二端子が収容された第二コネクタハウジングと、を有してなるコネクタであって、
前記ロック保護壁部は、
当該ロック保護壁部を構成する壁のうち、前記嵌合方向前方側保護壁を含む壁の一部が嵌合方向で仮係止位置、および、本係止位置にスライド移動可能に設けられ、かつ、前記第一コネクタハウジングと前記第二コネクタハウジングとが半嵌合状態である場合、仮係止位置から本係止位置へのスライド移動の途中で、前記ロック突起部にのり上げた状態の前記ロックアーム部が前記嵌合方向前方側保護壁に干渉することによって、前記第一コネクタハウジングと前記第二コネクタハウジングとが半嵌合状態であることが検知され、かつ、前記第一コネクタハウジングと前記第二コネクタハウジングとが嵌合状態である場合、前記ロックアーム部がロック解除方向に撓むことを阻止するように前記嵌合方向前方側保護壁が配置された状態で本係止される嵌合保障部
を有してなることを特徴とするコネクタ。
【請求項２】
前記嵌合保障部は、
前記嵌合方向前方側保護壁の両端部から前記第一コネクタハウジングと前記第二コネクタハウジングとの嵌合方向に沿って延びる一対のスライドガイド片部を有した略コの字状をなし、
前記ロック保護壁部は、
前記ロックアーム部の両側部側に嵌合方向に沿って前記ロックアーム部を保護するように設けられ、前記一対のスライドガイド片部が嵌め込まれた状態で前記嵌合方向にスライド移動可能にガイドされるスライドガイド溝が形成された一対のガイド側壁を有してなり、
前記嵌合保障部は、
前記一対のスライドガイド片部を前記一対のガイド側壁の各スライドガイド溝に嵌め込んだ状態でスライド方向の仮係止位置、および、本係止位置に移動され、かつ、前記一対のスライドガイド片部が前記一対のガイド側壁と合わせて前記ロックアーム部を前記嵌合方向に沿った両側部側から保護する壁をなすとともに、前記嵌合方向前方側保護壁によって嵌合方向前方側から前記ロックアーム部を保護する壁をなす
ことを特徴とする請求項１に記載のコネクタ。
【請求項３】
前記スライドガイド溝は、
前記一対のガイド側壁の嵌合方向前端面から前記嵌合方向に沿って、溝の長さが前記スライドガイド片部の長さに略等しくなるように設けられ、前記嵌合保障部が本係止されることによって前記一対のスライドガイド片部の各スライドガイド片部によって溝が略埋められるようになっている
ことを特徴とする請求項２に記載のコネクタ。
【請求項４】
前記嵌合保障部は、
前記一対のスライドガイド片部が前記スライドガイド溝に嵌った状態で外面が前記一対のガイド側壁の外面と略面一になる
ことを特徴とする請求項２または３に記載のコネクタ。
【発明の詳細な説明】
【技術分野】
【０００１】
本発明は、第一コネクタハウジングと第二コネクタハウジングとが嵌合されるコネクタに関する。
【背景技術】
【０００２】
従来、車載用のカメラ等の電気的な接続に用いられるコネクタは、第一端子が設けられた第一コネクタハウジングと、第一コネクタハウジングに設けられたロック突起部とロックするロックアーム部およびロックアーム部を第一コネクタハウジングとの嵌合方向前方側に設けた嵌合方向前方側保護壁を含めた壁によって保護するロック保護壁部を有し、かつ、第一端子に接続される第二端子が収容された第二コネクタハウジングと、を有してなるものがある。
【０００３】
例えば、特許文献１には、オス端子（第一端子）が設けられたオスハウジング（第一コネクタハウジング）と、オスハウジング（第一コネクタハウジング）に設けられたオスビーク（ロック突起部）とロックするメスロック（ロックアーム部）およびメスロック（ロックアーム部）をオスハウジング（第一コネクタハウジング）との嵌合方向前方側に設けた嵌合方向前方側保護壁を含めた壁によって、メスロック（ロックアーム部）を外力による不用な変形から保護するロック保護壁部を有し、かつ、オス端子（第一端子）に接続されるメス端子（第二端子）が収容されたメスハウジング（第二コネクタハウジング）と、有してなり、メスコネクタの外側にスライド可能に取り付けられたＣＰＡ（Ｃｏｎｎｅｃｔｏｒ  Ｐｏｓｉｔｉｏｎ  Ａｓｓｕｒａｎｃｅ：コネクタ位置保証）によってオスハウジング（第一コネクタハウジング）とメスハウジング（第二コネクタハウジング）との嵌合状態を検知するようにした半嵌合防止コネクタが記載されている。
【先行技術文献】
【特許文献】
【０００４】
【特許文献１】特開２０１２−６４４６１号公報
【発明の概要】
【発明が解決しようとする課題】
【０００５】
しかしながら、特許文献１に記載されたコネクタは、ロック保護壁部、および、ＣＰＡがロックアーム部周辺に設けられているため、ロックアーム部周辺の構造が複雑になってしまうという問題があった。
【０００６】
本発明は、上記に鑑みてなされたものであって、第一コネクタハウジングと第二コネクタハウジングとのロックアーム部による嵌合ロックを保障するための構成と、ロックアーム部を外力による不用な変形から保護する壁の構成とを簡易な構成で実現できるコネクタを提供することを目的とする。
【課題を解決するための手段】
【０００７】
上述した課題を解決し、目的を達成するために、本発明の請求項１に係るコネクタは、第一端子が設けられた第一コネクタハウジングと、前記第一コネクタハウジングに設けられたロック突起部とロックするロックアーム部および該ロックアーム部を前記第一コネクタハウジングとの嵌合方向前方側に設けた嵌合方向前方側保護壁を含めた壁によって保護するロック保護壁部を有し、かつ、前記第一端子に接続される第二端子が収容された第二コネクタハウジングと、を有してなるコネクタであって、前記ロック保護壁部は、当該ロック保護壁部を構成する壁のうち、前記嵌合方向前方側保護壁を含む壁の一部が嵌合方向で仮係止位置、および、本係止位置にスライド移動可能に設けられ、かつ、前記第一コネクタハウジングと前記第二コネクタハウジングとが半嵌合状態である場合、仮係止位置から本係止位置へのスライド移動の途中で、前記ロック突起部にのり上げた状態の前記ロックアーム部が前記嵌合方向前方側保護壁に干渉することによって、前記第一コネクタハウジングと前記第二コネクタハウジングとが半嵌合状態であることが検知され、かつ、前記第一コネクタハウジングと前記第二コネクタハウジングとが嵌合状態である場合、前記ロックアーム部がロック解除方向に撓むことを阻止するように前記嵌合方向前方側保護壁が配置された状態で本係止される嵌合保障部を有してなることを特徴とする。
【０００８】
また、本発明の請求項２に係るコネクタは、前記嵌合保障部が、前記嵌合方向前方側保護壁の両端部から前記第一コネクタハウジングと前記第二コネクタハウジングとの嵌合方向に沿って延びる一対のスライドガイド片部を有した略コの字状をなし、前記ロック保護壁部が、前記ロックアーム部の両側部側に嵌合方向に沿って前記ロックアーム部を保護するように設けられ、前記一対のスライドガイド片部が嵌め込まれた状態で前記嵌合方向にスライド移動可能にガイドされるスライドガイド溝が形成された一対のガイド側壁を有してなり、前記嵌合保障部が、前記一対のスライドガイド片部を前記一対のガイド側壁の各スライドガイド溝に嵌め込んだ状態でスライド方向の仮係止位置、および、本係止位置に移動され、かつ、前記一対のスライドガイド片部が前記一対のガイド側壁と合わせて前記ロックアーム部を前記嵌合方向に沿った両側部側から保護する壁をなすとともに、前記嵌合方向前方側保護壁によって嵌合方向前方側から前記ロックアーム部を保護する壁をなすことを特徴とする。
【０００９】
また、本発明の請求項３に係るコネクタは、前記スライドガイド溝が、前記一対のガイド側壁の嵌合方向前端面から前記嵌合方向に沿って、溝の長さが前記スライドガイド片部の長さに略等しくなるように設けられ、前記嵌合保障部が本係止されることによって前記一対のスライドガイド片部の各スライドガイド片部によって溝が略埋められるようになっていることを特徴とする。
【００１０】
また、本発明の請求項４に係るコネクタは、前記嵌合保障部が、前記一対のスライドガイド片部が前記スライドガイド溝に嵌った状態で外面が前記一対のガイド側壁の外面と略面一になることを特徴とする。
【発明の効果】
【００１１】
本発明の請求項１に係るコネクタは、前記ロックアーム部を保護する壁となる前記ロック保護壁部が、その壁の一部が前記第一コネクタハウジングと前記第二コネクタハウジングとの嵌合状態を検知するための検知機能を有する前記嵌合保障部によって構成され、しかも、本係止された前記嵌合保障部が、前記ロックアーム部のロック状態を保持する２重ロックの機能をなしているので、前記第一コネクタハウジングと前記第二コネクタハウジングとの前記ロックアーム部による嵌合ロックを保障するための構成と、前記ロックアーム部を外力による不用な変形から保護する壁の構成とを簡易な構成で実現できる。
【００１２】
本発明の請求項２に係るコネクタは、前記嵌合保障部が、単純な略コの字状をなして嵌合方向前方側、および、嵌合方向に沿った両側部側から前記ロックアーム部を保護し、前記嵌合保障部のスライドをガイドする前記一対のガイド側壁が嵌合方向両側部側から保護するようになっており、前記嵌合保障部、および、そのスライドをガイドする前記一対のガイド側壁が簡易な構成で前記ロックアーム部を保護する壁を構成するようになっているので、前記第一コネクタハウジングと前記第二コネクタハウジングとの前記ロックアーム部による嵌合ロックを保障するための構成と、前記ロックアーム部を外力による不用な変形から保護する壁の構成とをより簡易な構成で実現できる。
【００１３】
本発明の請求項３に係るコネクタは、前記嵌合保障部が本係止されることによって前記一対のガイド側壁の各スライドガイド溝が前記スライドガイド片部よって略埋められるようになっているので、前記ガイド側壁が前記スライドガイド溝の形成された部分で壁厚が薄くなることによって強度が低下することを防ぐことが可能になり、結果的に、前記嵌合保障部および前記一対のガイド側壁によって、前記ロックアーム部を外力による不用な変形から保護するのに十分な強度の前記ロック保護壁部が構成することができる。
【００１４】
本発明の請求項４に係るコネクタは、前記嵌合保障部が、前記ロック保護壁部を構成する他の壁である前記一対のガイド側壁と、外面を略面一にする一体的な簡易な構成になっているので、前記第一コネクタハウジングと前記第二コネクタハウジングとの前記ロックアーム部による嵌合ロックを保障するための構成と、前記ロックアーム部を外力による不用な変形から保護する壁の構成とをより簡易な構成で実現できる。
【図面の簡単な説明】
【００１５】
【図１】図１は、本発明の実施例に係るコネクタの分解斜視図である。
【図２】図２は、本発明の実施例に係るコネクタの斜視図であり、（ａ）が嵌合保障部が仮係止位置にある状態を示した図であり、（ｂ）が嵌合保障部が本係止位置にある状態を示した図である。
【図３】図３は、図１に示した保護部材が装着された状態の第二コネクタハウジングを嵌合方向前方側から視た斜視図であり、（ａ）が嵌合保障部が仮係止位置にある状態を示した図であり、（ｂ）が嵌合保障部が本係止位置にある状態を示した図である。
【図４】図４は、図１に示した保護部材が装着された状態の第二コネクタハウジングの側面図であり、嵌合保障部が仮係止位置にある状態を示した図である。
【図５】図５は、図４に示した第二コネクタハウジングのＡ−Ａ線断面図であり、（ａ）が嵌合保障部が仮係止位置にある状態を示した図であり、（ｂ）が嵌合保障部が本係止位置にある状態を示した図である。
【図６】図６は、（ａ）が第一コネクタハウジングと第二コネクタハウジングが半嵌合状態であり、ロックアーム部が嵌合方向前方側保護壁に干渉している状態を説明するための図であり、（ｂ）が嵌合保障部が本係止位置に配置されることによって嵌合方向前方側保護壁がロックアーム部がロック解除方向に撓むことが阻止されることを説明するための図である。
【発明を実施するための形態】
【００１６】
以下、図面を参照して、本発明に係るコネクタの好適な実施例を詳細に説明する。
【実施例】
【００１７】
図１は、本発明の実施例に係るコネクタ１の分解斜視図である。図２は、本発明の実施例に係るコネクタ１の斜視図であり、（ａ）が嵌合保障部５０が仮係止位置にある状態を示した図であり、（ｂ）が嵌合保障部５０が本係止位置にある状態を示した図である。図３は、図１に示した保護部材６０が装着された状態の第二コネクタハウジング２０を嵌合方向前方側から視た斜視図であり、（ａ）が嵌合保障部５０が仮係止位置にある状態を示した図であり、（ｂ）が嵌合保障部５０が本係止位置にある状態を示した図である。図４は、図１に示した保護部材６０が装着された状態の第二コネクタハウジング２０の側面図であり、嵌合保障部５０が仮係止位置にある状態を示した図である。図５は、図４に示した第二コネクタハウジング２０のＡ−Ａ線断面図であり、（ａ）が嵌合保障部５０が仮係止位置にある状態を示した図であり、（ｂ）が嵌合保障部５０が本係止位置にある状態を示した図である。図６は、（ａ）が第一コネクタハウジング１０と第二コネクタハウジング２０が半嵌合状態であり、ロックアーム部３０が嵌合方向前方側保護壁５１に干渉している状態を説明するための図であり、（ｂ）が嵌合保障部５０が本係止位置に配置されることによって嵌合方向前方側保護壁５１がロックアーム部３０がロック解除方向に撓むことが阻止されることを説明するための図である。
なお、図１および図２には、第一コネクタハウジング１０に取り付けられるカメラ筐体１００およびレンズ２００についても図示している。
また、図５は、Ａ−Ａ線断面では示されない嵌合方向前方側保護壁部５１について仮想線図にて示している。
【００１８】
本発明の実施例に係るコネクタ１は、第一端子Ｔ１が設けられた第一コネクタハウジング１０と、第一コネクタハウジング１０に設けられたロック突起部１１ｂとロックするロックアーム部３０およびロックアーム部３０を第一コネクタハウジング１０との嵌合方向前方側に設けた嵌合方向前方側保護壁５１を含めた壁によって保護するロック保護壁部４０を有し、かつ、第一端子Ｔ１に接続される第二端子Ｔ２が収容された第二コネクタハウジング２０と、第二コネクタハウジング２０の前端に装着されることによって第二コネクタハウジング２０の後述する端子収容室２３を画成するとともに、第一コネクタハウジング１０の内部前端面に突き当てられる突き当て面が設けられた保持部材６０と、第二コネクタハウジング２０に取り付けられることによって、端子収容室２３内に収容された第二端子Ｔ２を係止する係止部材７０と、第一コネクタハウジング１０と第二コネクタハウジング２０との嵌合部分に取り付けられることによって嵌合部分を防水可能に封止する弾性シール部材Ｓ１と、を有してなる。
【００１９】
なお、この実施例では、第二端子Ｔ２は、図１に示すように、電線Ｗの端末部に取り付けられた雌端子である。また、電線Ｗには第二端子Ｔ２の端部周辺にゴム栓Ｓ２が取り付けられることによって、第二端子Ｔ２が第二コネクタハウジング２０内に防水可能に収容されるようになっている。
【００２０】
第一コネクタハウジング１０は、第一端子としての複数の雄端子Ｔ１が内部に収容され、第二コネクタハウジング２０に嵌合される部分となる第一嵌合部１１と、カメラ筐体１００と合わせてカメラ機能部品の収容空間を構成するケース部１２と、を有し、フランジ部１２ａが、ケース部１２の外周面に沿ってカメラ筐体１００の端縁面が当接するように設けられている。
【００２１】
第一嵌合部１１は、第一コネクタハウジング１０と第二コネクタハウジング２０との嵌合方向Ｄ（以下、単に「嵌合方向」という。）に直交する断面外形が略矩形状である筒状をなし、嵌合口１１ａに先端を向けるようにして複数の第一端子Ｔ１が保持収容されている。
各第一端子Ｔ１は、圧入、あるいは、インサート成形によって第一嵌合部１１内の所定位置に保持されている。
【００２２】
この第一嵌合部１１は、一側面に第二コネクタハウジング２０のロックアーム部３０とロックするロック突起部１１ｂが設けられている。
このロック突起部１１ｂは、第二コネクタハウジング２０の後述するロック部３３が係止する際にのり越え易いように嵌合口１１ａに向いた面に傾斜面が設けられた突起である。
【００２３】
ケース部１２は、第一嵌合部１１の嵌合口１１ａとは逆側の端部にカメラ機能部品の収容空間の底面を形成する矩形状の底壁部１２ｂと、底壁部１２ｂの縁に沿って立設された枠壁部１２ｃと、を有してなる。
フランジ部１２ａは、枠壁部１２ｃの底壁部側端部外周に沿って枠壁部１２ｃの外周面からに突設されている。
このケース部１２は、カメラ筐体１００が取り付けられ、カメラ筐体１００にさらにレンズ２００が取り付けられるよって、カメラ機能部品が液密に収容される空間の一部を構成するようになっている。
【００２４】
第二コネクタハウジング２０は、第一嵌合部１１と嵌合される部分となる第二嵌合部２１と、第二嵌合部２１内に第二端子Ｔ２を挿入するための複数の端子挿入口２２ａが設けられた端子挿入部２２と、を有し、嵌合口２１ｃ側を一端とし、端子挿入口２２ａ側を他端とする絶縁性樹脂材からなるブロック状をなしている。
【００２５】
また、第二コネクタハウジング２０は、第一コネクタハウジング１０に設けられたロック突起部１１ｂとロックするロックアーム部３０、および、ロックアーム部３０を第一コネクタハウジング１０との嵌合方向前方側に設けた嵌合方向前方側保護壁５１を含めた壁によって保護するロック保護壁部４０を有してなる。
【００２６】
第二嵌合部２１は、複数の第二端子Ｔ２がそれぞれ収容される複数の端子収容室２３が設けられ、図３に示すように、保持部材６０が装着された状態で保持部材６０とともに第一嵌合部１１内終端位置まで嵌め込まれる内側嵌合部２１ａと、第二嵌合部２１の外壁を形成し第一嵌合部１１の外側に重なるようにして第一嵌合部１１と嵌め合う外側嵌合壁２１ｂとを有する。
【００２７】
このように、コネクタ１は、内側嵌合部２１ａと外側嵌合壁２１ｂとの二重の嵌合構造になっており、第一コネクタハウジング１０と第二コネクタハウジング２０とが嵌合された状態で、内側嵌合部２１ａと外側嵌合壁２１ｂとの間に第一嵌合部１１の嵌合口端部周辺が配置され、かつ、内側嵌合部２１ａと第一嵌合部１１との間が弾性シール部材Ｓ１によって防水可能に封止されるようになっている。
【００２８】
また、第二嵌合部２１の外面には、ロックアーム部３０と、ロック保護壁部４０と、が設けられている。
ロックアーム部３０は、端子挿入部２２の端部に設けられた支点部３１と、支点部３１から第一コネクタハウジング１０と嵌合する方向に延びる一対のアーム部３２、３２と、一対のアーム部３２、３２の先端を橋渡すように設け、かつ、一対のアーム部３２、３２が弾性的に中立な状態でロック突起部１１ｂに係止される部分となるロック部３３と、ロック部３３側からアーム部３２、３２の延在方向とは逆方向に延在するアーム３４の端部に設けられ、ロックを解除する際に操作者が押圧操作する部分となるロック解除操作部３５と、を有してなる。
【００２９】
ロック保護壁部４０は、嵌合保障部５０と、嵌合保障部５０のスライド方向への移動をガイドする一対のガイド側壁４１、４１とによってロックアーム部３０を外力による不用な変形から保護する壁である。
【００３０】
嵌合保障部５０は、ロック保護壁部４０を構成する壁のうち、嵌合方向前方側保護壁５１を含む壁の一部が嵌合方向で仮係止位置、および、本係止位置にスライド移動可能に設けられた壁である。
この嵌合保障部５０は、第一コネクタハウジング１０と第二コネクタハウジング２０とが半嵌合状態である場合、仮係止位置から本係止位置へのスライド移動の途中で、ロック突起部１１ｂにのり上げた状態のロックアーム部３０が嵌合方向前方側保護壁５１に干渉することによって、第一コネクタハウジング１０と第二コネクタハウジング２０とが半嵌合状態であることが検知されるようにしたものである。
また、嵌合保障部５０は、第一コネクタハウジング１０と第二コネクタハウジング２０とが嵌合状態にある場合、ロックアーム部３０がロック解除方向に撓むことを阻止するように嵌合方向前方側保護壁５１が配置された状態で本係止されるようになっている。
【００３１】
嵌合保障部５０は、より具体的には、嵌合方向前方側保護壁の５１両端部から第一コネクタハウジング１０と第二コネクタハウジング２０との嵌合方向Ｄに沿って延びる一対のスライドガイド片部５２、５２を有した略コの字状をなしている。
【００３２】
各スライドガイド片部５２、５２の先端部分には内側に突設された係止突起５２ａが設けられ、この係止突起５２ａが後述するスライドガイド溝４１ａに設けられた仮係止突起４２、あるいは、本係止突起４３に係止されることによって嵌合保障部５０がスライドガイド溝４１ａ上の仮係止位置と本係止位置とで係止されるようになっている。
【００３３】
また、ロック保護壁部４０は、ロックアーム部３０の両側部側に嵌合方向Ｄに沿ってロックアーム部３０を保護するように設けられ、一対のスライドガイド片部５２、５２が嵌め込まれた状態で嵌合方向Ｄにスライド移動可能にガイドされるスライドガイド溝４１ａが形成された一対のガイド側壁４１、４１を有してなる。
【００３４】
一対のガイド側壁４１、４１は、ロックアーム部３０が設けられる第二嵌合部２１の面にロックアーム部３０を間にして嵌合方向Ｄに沿って互いに向かい合うように立設された壁である。
【００３５】
各ガイド側壁４１、４１には、スライドガイド溝４１ａが嵌合方向前端面から嵌合方向に沿って延びるように設けられている。
スライドガイド溝４１ａは、溝の深さが、スライドガイド片部５２が仮係止位置、あるいは、本係止位置で係止された状態でガイド側壁４１の外面がスライドガイド片部５２の外面と略面一となるように調整されている。
また、スライドガイド溝４１ａは、溝の長さがスライドガイド片部５２の長さに略等しくなるように調整されている。
このスライドガイド溝４１ａの底面には、仮係止突起４２、および、本係止突起４３が、嵌合方向Ｄに沿って間隔を空け、かつ、仮係止突起４２が本係止突起４３に比して嵌合方向前方側になるように設けられている。
【００３６】
このような嵌合保障部５０は、図３および図５に示すように、一対のスライドガイド片部５２、５２を各スライドガイド溝４１ａ、４１ａに嵌め込んだ状態でスライド方向の仮係止位置、および、本係止位置に移動され、かつ、一対のスライドガイド片部５２、５２が一対のガイド側壁４１、４１と合わせてロックアーム部３０を嵌合方向Ｄに沿った両側部側から保護する壁をなすとともに、嵌合方向前方側保護壁５１によって嵌合方向前方側からロックアーム部３０を保護する壁をなす。
【００３７】
また、嵌合保障部５０が本係止されることによって各ガイド側壁４１のスライドガイド溝４１ａが各スライドガイド片部５２よって略埋められるようになっているので、ガイド側壁４１がスライドガイド溝４１ａの形成された部分で壁厚が薄くなることによって、強度が低下することを防ぐことが可能になっている。
すなわち、嵌合保障部５０と一対のガイド側壁４１、４１とによって、ロックアーム部３０を外力による不用な変形から保護するのに十分な強度のロック保護壁部４０が構成されるようになっている。
【００３８】
また、嵌合保障部５０は、一対のスライドガイド片部５２、５２が各スライドガイド溝４１ａに嵌った状態で外面が一対のガイド側壁４１、４１の外面と略面一になっている。
これにより、スライド移動可能な嵌合保障部５０と、嵌合保障部５０のスライド移動をガイドする一対のガイド側壁４１、４１とが一体的なロック保護壁部４０を構成するようになっている。
【００３９】
次に、作業者が嵌合保障部５０を用いて第一コネクタハウジング１０と第二コネクタハウジング２０との嵌合状態を検知する手順、および、この手順に関係したコネクタ１の各部の動作について説明する。
まず、作業者は、嵌合保障部５０を仮係止位置に配置した状態で、第一コネクタハウジング１０と第二コネクタハウジング２０とを嵌合する。
ここで第一コネクタハウジング１０と第二コネクタハウジング２０とが嵌合する際、第二コネクタハウジング２０のロック部３３がロック突起部１１ｂをのり越えるように一対のアーム部３２、３２が撓み、ロック部３３がロック突起部１１ｂをのり越えると一対のアーム部３２、３２が弾性的に復元されることによって、ロック突起部１１ｂとロックアーム部３０によるロックが完了される。
【００４０】
その後、作業者は、嵌合保障部５０を仮係止位置から本係止位置にスライド移動させる（図３および図５参照）。
ここで、第一コネクタハウジング１０と第二コネクタハウジング２０とが半嵌合状態である場合、図６（ａ）に示すように、ロックアーム部３０のロック部３３がロック突起部１１ｂにのり上げて一対のアーム部３２、３２が中立位置から弾性的に撓んだ状態になっているため、嵌合保障部５０が仮係止位置から本係止位置に移動される途中で、嵌合保障部５０の嵌合方向前方側保護壁５１にロックアーム部３０が干渉する。
これにより、作業者は、嵌合保障部５０を本係止位置にスライド移動することができず、第一コネクタハウジング１０と第二コネクタハウジング２０とが半嵌合状態であることを知ることができる。
【００４１】
そこで、作業者は、再度、第一コネクタハウジング１０と第二コネクタハウジング２０とを嵌合する。
このようにして作業者が、第一コネクタハウジング１０と第二コネクタハウジング２０とが嵌合された状態で嵌合保障部５０を本係止位置にスライド移動させた場合、ロックアーム部３０の一対のアーム部３２、３２が弾性的に復元されて撓みが無くなり、ロックアーム部３０が嵌合保障部５０の嵌合方向前方側保護壁５１に干渉しなくなるため、嵌合保障部５０を本係止位置まで移動完了させることができる。
これにより、作業者は、嵌合保障部５０を本係止位置にスライド移動することが可能となり、第一コネクタハウジング１０と第二コネクタハウジング２０とが嵌合状態であることを知ることができる。
【００４２】
嵌合保障部５０が本係止位置に移動されると、嵌合保障部５０の嵌合方向前方側保護壁５１が、一対のアーム部３２、３２がロック解除方向（図６（ａ）の矢印Ｂ方向）に撓むことを阻止する位置に配置される。
すなわち、嵌合保障部５０は、第一コネクタハウジング１０と第二コネクタハウジング２０との嵌合検知の機能だけでなく、第一コネクタハウジング１０と第二コネクタハウジング２０との嵌合状態を維持するためロックアーム部３０とロック突起部１１ｂとのロックに加えた２重ロックの機能もなしている。
なお、このようなコネクタ１は、嵌合保障部５０を仮係止位置にスライド移動した後に、ロック解除操作部３５を押圧操作し、一対のアーム部３２、３２をロック解除方向（図６（ａ）の矢印Ｂ方向）に撓ませることによって嵌合ロックを解除することができる。
【００４３】
本発明の実施例に係るコネクタ１は、ロックアーム部３０を保護する壁となるロック保護壁部４０が、その壁の一部が第一コネクタハウジング１０と第二コネクタハウジング２０との嵌合状態を検知するための検知機能を有する嵌合保障部５０によって構成され、しかも、本係止された嵌合保障部５０が、ロックアーム部３０のロック状態を保持する２重ロックの機能をなしているので、第一コネクタハウジング１０と第二コネクタハウジング２０とのロックアーム部３０による嵌合ロックを保障するための構成と、ロックアーム部３０を外力による不用な変形から保護する壁の構成とを簡易な構成で実現できる。
【００４４】
また、本発明の実施例に係るコネクタ１は、嵌合保障部５０が、単純な略コの字状をなして嵌合方向前方側、および、嵌合方向Ｄに沿った両側部側からロックアーム部３０を保護し、嵌合保障部５０のスライドをガイドする一対のガイド側壁４１が嵌合方向両側部側から保護するようになっており、嵌合保障部５０、および、そのスライドをガイドする一対のガイド側壁４１、４１が簡易な構成でロックアーム部３０を保護する壁を構成するようになっているので、第一コネクタハウジング１０と第二コネクタハウジング２０とのロックアーム部３０による嵌合ロックを保障するための構成と、ロックアーム部３０を外力による不用な変形から保護する壁の構成とをより簡易な構成で実現できる。
【００４５】
また、本発明の実施例に係るコネクタ１は、嵌合保障部５０が本係止されることによって一対のガイド側壁４１、４１の各スライドガイド溝４１ａ、４１ａが各スライドガイド片部５２、５２よって略埋められるようになっているので、各ガイド側壁４１、４１が各スライドガイド溝４１ａ、４１ａの形成された部分で壁厚が薄くなることによって強度が低下することを防ぐことが可能になり、結果的に、嵌合保障部５０および一対のガイド側壁４１、４１によって、ロックアーム部３０を外力による不用な変形から保護するのに十分な強度のロック保護壁部４０が構成することができる。
【００４６】
また、本発明の実施例に係るコネクタ１は、嵌合保障部５０が、ロック保護壁部４０を構成する他の壁である一対のガイド側壁４１、４１と、外面を略面一にする一体的な簡易な構成になっているので、第一コネクタハウジング１０と第二コネクタハウジング２０とのロックアーム部３０による嵌合ロックを保障するための構成と、ロックアーム部３０を外力による不用な変形から保護する壁の構成とをより簡易な構成で実現できる。
【００４７】
なお、本発明の実施例に係るコネクタ１は、カメラ用のコネクタを示したが、第一端子Ｔ１が設けられた第一コネクタハウジング１０と、第一コネクタハウジング１０に設けられたロック突起部１１ｂとロックするロックアーム部３０およびロックアーム部３０を第一コネクタハウジング１０との嵌合方向前方側に設けた嵌合方向前方側保護壁５１を含めた壁によって保護するロック保護壁部４０を有し、かつ、第一端子Ｔ１に接続される第二端子Ｔ２が収容された第二コネクタハウジング２０と、を有してなるコネクタであれば、その他のコネクタに用いても構わない。
【００４８】
また、本発明の実施例に係るコネクタ１は、保持部材６０および係止部材７０を有してなるものを例示したが、これらは必須の構成ではないため、保持部材６０および係止部材７０を有しないものであってもよい。
【００４９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５０】
１        コネクタ
１０      第一コネクタハウジング
１１      第一嵌合部
１１ａ    嵌合口
１１ｂ    ロック突起部
１２      ケース部
１２ａ    フランジ部
１２ｂ    底壁部
１２ｃ    枠壁部
２０      第二コネクタハウジング
２１      第二嵌合部
２１ａ    内側嵌合部
２１ｂ    外側嵌合壁
２１ｃ    嵌合口
２２      端子挿入部
２２ａ    端子挿入口
２３      端子収容室
３０      ロックアーム部
３１      支点部
３２      アーム部
３３      ロック部
３４      アーム
３５      ロック解除操作部
４０      ロック保護壁部
４１      ガイド側壁
４１ａ    スライドガイド溝
４２      仮係止突起
４３      本係止突起
５０      嵌合保障部
５１      嵌合方向前方側保護壁部
５２      スライドガイド片部
５２ａ    係止突起
６０      保持部材
７０      係止部材
１００    カメラ筐体
２００    レンズ
Ｔ１      第一端子（雄端子）
Ｔ２      第二端子（雌端子）
Ｗ        電線
Ｓ１      弾性シール部材
Ｓ２      ゴム栓
【図１】
0006647737.tif 000002
【図２】
0006647737.tif 000003
【図３】
0006647737.tif 000004
【図４】
0006647737.tif 000005
【図５】
0006647737.tif 000006
【図６】
0006647737.tif 000007